(57)【要約】      （修正有）【課題】個別の包装容器が全体で纏まった意匠的形態を創出することができる集合包装容器を提供する。【解決手段】集合包装容器１は、自立可能な半球体であって、底部２及び側周部３の内面に、底部面の中心点より等角度で外側に向かって形成された溝条４を備えた無蓋容器であって、個別包装容器７の水平鍔を溝条４に嵌挿することにより、各個別包装容器７が位置決めされて、整然とした球体を構成可能とすることができる集合包装容器である。【選択図】図４
2018070221.tif 000002
【特許請求の範囲】
【請求項１】
自立可能な半球体であって、底部及び側周部の内面に、底部面の中心点より等角度で外側に向かって形成された溝条を備えた無蓋容器であることを特徴とする集合包装容器。
【請求項２】
円形柱体、又は正多角形の柱体又は半球状体であることを特徴とする請求項１に記載の集合包装容器。
【請求項３】
溝条の一部に狭小部分を有することを特徴とする請求項１又は２に記載の集合包装容器。
【請求項４】
上端面に水平鍔を設けたことを特徴とする請求項１乃至３のいずれかに記載の集合包装容器。
【発明の詳細な説明】
【技術分野】
【０００１】
本発明は包装容器に関し、詳しくは同一形態の複数の個別容器をまとめて収納するとともに、店頭展示用等の容器として用いられる集合包装容器に関するものである。
【背景技術】
【０００２】
例えば、収容する食品がゼリーの場合において、ゼリーを直接収納する個別容器は、樹脂製容器で成形され、容器の上端は外周に水平な縁（鍔）が形成されており、当該水平な縁を利用して上面にフィルムを接着して密閉する構成と成っている。
【０００３】
また、容器の基本的形態として、容器自体で自立すべく、底面に水平面を有するか、或いは、筒状のスカート脚や複数の突起部を転倒防止脚等として設けられているものがある。
そして、斯かる複数の個体の容器を収容する集合容器は、部収容内に個体容器の底部を嵌合する凹部を配置した構成もの、上面にフィルムを接着した水平縁（鍔）の下面を係止吊り下げる格好の水平支持枠を内装したもの等がある。
【先行技術文献】
【特許文献】
【０００４】
【特許文献１】特開２００４−６７１４１号公報
【特許文献２】実開昭６３−１１３４９号
【特許文献３】実開昭６３−４０３６０号
【発明の概要】
【発明が解決しようとする課題】
【０００５】
上記のように、この種の集合包装容器は個別の包装容器を独立した状態で配置して収容するものであり、全体の個別の包装容器で纏まった意匠的形態を創出するものではない。
これは、個別の包装容器の上面にフィルムを接着した水平縁（鍔）が形成されていることに起因するものである。
【０００６】
そこで、本発明は個別の包装容器が全体で纏まった意匠的形態を創出することができる集合包装容器を提供せんとするものである。
【課題を解決するための手段】
【０００７】
本発明の請求項１の集合包装容器は、自立可能な半球体であって、底部及び側周部の内面に、底部面の中心点より等角度で外側に向かって形成された溝条を備えた無蓋容器であることを特徴とするものである。
【０００８】
請求項２の発明は、請求項１に記載の集合包装容器において、円形柱体、又は正多角形の柱体又は半球状体であることを特徴とするものである。
【０００９】
請求項３の発明は、請求項１又は２に記載の集合包装容器において、溝条の一部に狭小部分を有することを特徴とするものである。
【００１０】
請求項４の発明は、請求項１乃至３のいずれかに記載の集合包装容器において、上端面に水平鍔を設けたことを特徴とするものである。
【発明の効果】
【００１１】
請求項１の発明の集合包装容器は、半球体の容器であるため、当該半球体の直径に等しい球体の下部を収容することが可能であり、その球体を中心上下軸で等分して分割した複数の同一の包装容器を、球体に組み合わせた状態で収容することができる効果を有するものとなる。
【００１２】
一方、各個別包装容器は、分割した個別包装容器の開放口を一方の分割面とし、当該開口面の端面に水平鍔が形成されており、この水平鍔にフィルムを接着して収容した内容物を封入する公知の構成となっている。
さすれば、各個別包装容器の水平鍔を、本発明に係る半球体の集合包装容器の底部及び側周部の内面に、底部面の中心点より等角度で外側に向かって形成された各溝条へ嵌挿していくことで、位置決めされた各個別容器の下方部分が整然と集合包装容器内に収まって、個別包装容器全体で球体を構成する効果を発揮するものである。
【００１３】
そして、本発明に係る半球体の集合包装容器は自立可能であるから、個別包装容器を収容しても安定しており、また、各個別包装容器は下部のみが集合包装容器内に収容され、上部は開放されているため集合包装容器内への収納及び取り出しが容易に行える効果を有するものである。
【００１４】
請求項２の集合包装容器の発明は、請求項１に記載の効果に加えて、各同一の個別包装容器を組み合わせて円形柱体や、円形柱体又は正多角形の柱体又は球状体に構成して包装できる集合包装容器となるものである。
【００１５】
請求項３の集合包装容器の発明は、請求項１又は２に記載の効果に加えて、集合包装容器において、溝条の一部に狭小部分を有することで個別包装容器を単独で位置決め及び保持できる効果があり、個別包装容器の収納及び取り出しをより容易に行える効果を発揮するものである。
【００１６】
請求項４の集合包装容器の発明は、請求項１乃至３のいずれかに記載の効果に加えて、集合包装容器の上端面に水平鍔を設けたため、上端部の形態維持を強化すると共に、外側に向かって形成された溝条の上端面の形状をも維持し、安全性にも資する効果を有する。
【図面の簡単な説明】
【００１７】
【図１】本発明の実施の一形態を示す集合包装容器の正面図である。
【図２】図１の平面図である。
【図３】集合包装容器に収容される個別包装容器の斜視図である。
【図４】個別包装容器を収容した状態の集合包装容器の正面図である。
【図５】図４の平面図である。
【図６】狭小部を示す集合包装容器の正面図である。
【図７】図６のＡ−Ａ線部分断面図である。
【図８】他の実施形態であって、（ａ）は集合包装容器の正面図であり、（ｂ）は収容する個別包装容器の斜視図である。
【図９】他の実施形態であって、（ａ）は集合包装容器の正面図であり、（ｂ）は収容する個別包装容器の斜視図である。
【図１０】他の実施形態であって、（ａ）は集合包装容器の正面図であり、（ｂ）は収容する個別包装容器の斜視図である。
【発明を実施するための形態】
【００１８】
本発明の実施の形態を図面の記載に基づいて説明する。
図１乃至図５は本発明の実施の一形態を示す集合包装容器１であり、収容する食品に適した安全・衛生等の基準を充たす透視可能な合成樹脂で成形される。
図面では、半球体の形状を有し、収容部と同一の直径を有する球体を、中心上下軸で６等分して分割した６個の同一の個別包装容器７の集合を、球体に組み合わせた状態で収容できる例を示している。
【００１９】
集合包装容器１は底部２を平坦として自立可能な半球体と成っている。
そして、底部２及び側周部３の内面に、底部２の面の中心点より等角度（６０度）で外側に向かって６本の溝条４が形成され、側周部３の上端は外側に前記溝条４より幅広の水平鍔５を備えた無蓋容器と成っている。
【００２０】
集合包装容器１は、半球体の無蓋容器であるため、当該半球体の収容部分の直径に等しい球体の下部を収容することが可能であり、その球体を中心上下軸で６等分して分割した各同一の個別包装容器７，７・・を、球体に組み合わせた状態で収容することができるものとなる。
【００２１】
前記各個別包装容器７は、分割した一方の分割面を個別包装容器７の開口面７１とし、当該開口面７１の端面に水平鍔７２が形成されており、この水平鍔７２にフィルム８を接着して収容した内容物を封入する公知の構成としてある。
さすれば、各個別包装容器７のフィルム８を接着した水平鍔７２を、半球体の集合包装容器１の底部２及び側周部３の内面に、底部面の中心点より等角度で外側に向かって形成された各溝条４へ嵌挿することで、各個別包装容器７が位置決めされて整然とした球体を構成して集合包装容器１内に収まるものとなる。
【００２２】
また、溝条４は各個別包装容器７のフィルム８を接着した水平鍔７２が挿入するのに余裕を持った幅と奥行きで形成されている。
そこで、少数の個別包装容器７が収容された状態では安定が不十分となる場合があるため、溝条４の一部に狭小部６を形成しておくことによって、水平鍔７２を確実に把持し単独でも安定した収容状態を維持できるものと成る（図６及び図７）。
この狭小部６は全ての溝条４に設けても良く、また特定の溝条４にのみ設けても良い。
【００２３】
他方、個別包装容器７の開口面７１にフィルム８を接着した水平鍔７２を備え、球体を構成する中心上下軸の部分が互いに干渉するおそれがあるため、当該部分を切欠面７３とすることで、余裕のある収納状態を保てるものと成る。
【００２４】
図８は他の実施の形態を示すもので、個別包装容器７Ａを組み立てて構成した円形柱体を収容する集合包装容器１１である。
又、図９は他の実施の形態を示すもので、個別包装容器７Ｂを組み立てて構成した正多角形の柱体を収容する集合包装容器１２であり、更に、図１０は他の実施の形態を示すもので、個別包装容器７Ｃを組み立てて構成した正多角形の周面が平面である球状体を収容する集合包装容器１３である。
【００２５】
以上、本発明を実施の形態を図面に基づき具体的に説明したが、例えば、具体的形状について、個別包装容器が６等分に分割されている上記の実施形態に限定されるものではない。
また、集合包装容器の高さは、収容した個別包装容器の形状との関係で任意に決められるものであり、発明の思想を逸脱することない範囲の他の実施の形態にも適用可能である。
【符号の説明】
【００２６】
１，１１，１２，１３  集合包装容器
２                    底部
３                    側周部
４                    溝条
５，７２              水平鍔
６                    狭小部
７，７Ａ，７Ｂ，７Ｃ  個別包装容器
８                    フィルム
７１                  開口面
７３                  切欠面
【図１】
2018070221.tif 000003
【図２】
2018070221.tif 000004
【図３】
2018070221.tif 000005
【図４】
2018070221.tif 000006
【図５】
2018070221.tif 000007
【図６】
2018070221.tif 000008
【図７】
2018070221.tif 000009
【図８】
2018070221.tif 000010
【図９】
2018070221.tif 000011
【図１０】
2018070221.tif 000012